(57)【要約】【課題】  キャンドポンプにおいて、液体をモータ部の冷却又は潤滑のために循環する場合に、循環液中に異物が混入していると異物によりロータやインペラの回転軸の軸受が損傷を受けて寿命が著しく低下し、また異物が磁性体の場合にモータを駆動する磁気力の低下によるモータの効率の低下や、異物除去用のフィルタの取付けによる効率の低下を抑制し、また、ポンプ内壁への異物の接触によるポンプ室の破損を防いだキャンドポンプを提供する。【解決手段】  モータ部２の内部にロータ１１を収納すると共に、ポンプ部３のポンプ室４の内部にインペラ８を収納して有し、これらのロータ１１とインペラ８が液体中で回転するキャンドポンプ１において、液体中に含有される異物を液体から分離して集積させる集積空間６をポンプ室４の側部のブラケット７に設け、この場合にインペラ８の外径より大きい径の箇所に設けたことからなるキャンドポンプ１である。【選択図】      図１
2011017294.tif 000002
【特許請求の範囲】
【請求項１】
キャンドポンプのモータ部の内部にロータを収納すると共にポンプ部のポンプ室内にインペラを収納して有し、これらのロータとインペラが液体中で回転する構造からなるキャンドポンプにおいて、液体中に含有される異物を液体から分離して集積させる集積空間をポンプ室の側部のブラケットに設けていることを特徴とするキャンドポンプ。
【請求項２】
集積空間は、ポンプ室の側部のブラケットで、かつ、インペラの外径より大きい箇所に集積空間入口を設けていることを特徴とする請求項１に記載のキャンドポンプ。
【請求項３】
集積空間及び集積空間入口は、ポンプ室の側部のブラケットにそれぞれの２つ以上が設けられていることを特徴とする請求項２に記載のキャンドポンプ。
【請求項４】
集積空間及び集積空間入口は、ポンプ室の側部のブラケットに中心対称的にそれぞれの２つ以上が設けられていることを特徴とする請求項３に記載のキャンドポンプ。
【請求項５】
集積空間入口は、集積空間のインペラの外径より大きい箇所の集積空間の外周辺の周辺中心部に設けられていることを特徴とする請求項４に記載のキャンドポンプ。
【請求項６】
集積空間入口は、ポンプ室内におけるインペラ回転方向に対して接線方向に向けて設けられていることを特徴とする請求項５に記載のキャンドポンプ。
【発明の詳細な説明】
【技術分野】
【０００１】
本発明は、ロータと羽根車（以下、羽根車を「インペラ」という。）を内部に収納したポンプ室を有し、このポンプ室内に汲み上げた液体中でロータとインペラが回転する構造のキャンドポンプに関する。
【背景技術】
【０００２】
キャンドポンプとは、密閉容器のポンプ室（運転時液体で充満）の内部にインペラを駆動するロータが組み込まれているポンプである。ところで、このキャンドポンプには、マグネットカップリング式とキャンドモータ式とがある。マグネットカップリング式は、ロータが取付けられているシャフトに、駆動マグネットが取付けられたマグネットハウジングを固定し、ポンプ室内部に従動マグネットの取付けられたロータがシャフトに固定されて配設されており、このシャフトにインペラを固定し、ステータにより駆動マグネットを駆動させ、上記駆動マグネットと従動マグネットの磁気力により従動マグネットが駆動され、インペラに回転を伝達する機構である。また、キャンドモータ式は、ロータが取付けられているシャフトに、インペラが固定されており、ステータにより、直接、ロータを駆動することによりインペラに回転を伝達させる機構である。
【０００３】
また、高効率を図るため、ロータに磁石を付けた直流キャンドモータポンプが多く製品化されている（例えば、特許文献１、特許文献２参照。）。
【０００４】
いずれにしても、ロータが駆動されてロータとインペラが回転するため、ポンプ室の内側にシャフトと軸受が設けられている。この軸受を潤滑するために、インペラから吐出された液体の一部分を軸受とシャフトの摺動面（すべり面）に循環流通する構造が殆どである。これらの構造のキャンドポンプにおける液体の流れは、図１５および図１６で示すキャンドポンプの構造中に、矢印で示している。
【０００５】
しかし、キャンドポンプにおいて、異物が混入した液体を循環する場合、キャンドポンプの構造上、軸受の部分に循環する液体が流れるために、異物により軸受が損傷を受け、軸受の寿命が著しく低下する。この異物による損傷を防止するために、循環する液体の入口の部分にフィルタの取付けが余儀なくされる。この結果、フィルタの取付けの影響として液体の流れが妨げられるため、効率が低下されることとなる。
【０００６】
また、直流モータポンプとマグネットカップリング式ポンプの場合、異物が磁性体であれば、ロータに取付けられているマグネットの吸引力よりこの磁性体の異物がロータに付着される。このようにロータ外周に磁性体が付着すると、磁気力が低下してモータ効率が低下する。また、その付着量が多くなると、異物がポンプ内壁と接触して液体の漏れを起こす原因にもなる。
【先行技術文献】
【特許文献】
【０００７】
【特許文献１】特開２００３−３１４４８５号公報
【特許文献２】特開２００８−２０８７７６号公報
【発明の概要】
【発明が解決しようとする課題】
【０００８】
キャンドポンプにおいて、液体をモータ部の冷却又は潤滑のために循環する場合、循環液中に異物が混入していると、異物によりロータやインペラの回転軸の軸受が損傷を受けて寿命が著しく低下する。また異物が磁性体の場合、モータを駆動する磁気力の低下によるモータの効率が低下する。さらに異物除去用のフィルタの取付けるとモータの効率が低下する。そこで、本発明が解決しようとする課題は、このようなモータの効率の低下を抑制し、また、ポンプ内壁への異物の接触によるポンプ室の破損を防いだキャンドポンプを提供することである。
【課題を解決するための手段】
【０００９】
上記の課題を解決するための本発明の手段は、請求項１の発明では、キャンドポンプのモータ部の内部にロータを収納すると共にポンプ部のポンプ室の内部にインペラを収納して有し、これらのロータとインペラが液体中で回転する構造からなっているキャンドポンプにおいて、液体中に含有される異物を液体から分離して集積させる集積空間がポンプ室の側部のブラケットに設けられていることを特徴とするキャンドポンプである。
【００１０】
請求項２の発明では、異物を集積させる集積空間は、ポンプ室の側部のブラケットで、かつ、インペラの外径より大きい箇所に集積空間入口が設けられていることを特徴とする請求項１の手段のキャンドポンプである。
【００１１】
請求項３の発明では、異物を集積させる集積空間及びその集積空間入口は、ポンプ室の側部のブラケットにそれぞれの２つ以上が設けられていることを特徴とする請求項２の手段のキャンドポンプである。
【００１２】
請求項４の発明では、それぞれの２つ以上の異物を集積させる集積空間及びその集積空間入口は、ポンプ室の側部のブラケットに中心対称的に設けられていることを特徴とする請求項３の手段のキャンドポンプである。
【００１３】
請求項５の発明では、集積空間入口は、集積空間のインペラの外径より大きい箇所の集積空間の外周辺の周辺中心部に設けられていることを特徴とする請求項４の手段のキャンドポンプである。
【００１４】
請求項６の発明では、集積空間入口は、ポンプ室内におけるインペラ回転方向に対して接線方向に向けて設けられていることを特徴とする請求項５の手段のキャンドポンプである。
【発明の効果】
【００１５】
本発明は、前記の手段としたことにより、請求項１に係る発明では、ポンプ室側部ブラケット内に、汲み上げる液体中に含有される異物を集積して除去するための、集積空間を設けることにより、モータ部及びポンプ部の軸受への異物の進入を抑制することが可能となるので、異物による軸受けの損傷を抑制し、寿命に対する信頼性が向上できる。また、異物が磁性体である場合、磁性体からなる異物がモータ部のマグネットへの進入が抑制出来るため、マグネットに異物の磁性体の付着が抑制でき、これらの異物の堆積によるモータ効率及びポンプの全効率の低下が抑制でき、さらに、ポンプ室の側壁と異物との接触によるポンプ室の破損を抑制することができる効果がある。また、異物を除去するフィルタが不要となることから、フィルタによるポンプ効率の低下を抑制することが可能となる。
【００１６】
請求項２に係る発明では、請求項１に係る発明の効果に加えて、液体の比重より大きい異物の場合には、インペラの外径より大きい径の箇所に異物が移動させられるが、その移動箇所であるインペラの外径より大きい径の箇所に集積空間の入口を設けることにより、集積効率が向上できる。
【００１７】
請求項３に係る発明では、請求項２に係る発明の効果に加えて、ポンプ室の内部に送られてくる液体は、インペラ外径の一箇所からではなく、インペラ外径の全周から送られるので、集積空間及び集積空間入口をポンプ室の側部のブラケットにそれぞれ２つ以上設けることにより、集積効率が向上できる。
【００１８】
請求項４に係る発明では、請求項３に係る発明の効果に加えて、ポンプ室４の内部の液体は回転しているため、集積空間及び集積空間入口を回転の中心に対称的に２つ以上設けることにより、各集積空間における集積能力を均等化することができるため、集積効率が向上できる。また、集積空間を上記のように対称的に設けたことにより、集積空間の設置位置の偏りの影響を抑制することが可能となる。
【００１９】
請求項５に係る発明では、請求項４に係る発明の効果に加えて、インペラ回転方向が正逆のどちらであっても、同じ集積効果があるので、正逆いずれのポンプにも部品が共通化でき、原価低減が可能となる。
【００２０】
請求項６に係る発明では、請求項５に係る発明の効果に加えて、ポンプ室内部の液体は、インペラ回転方向に流れているので、その流れに対して接線方向に集積空間入口を設けることにより、集積効率が向上できる。
【００２１】
上述したように、本発明のキャンドポンプは、ポンプ室の側部のブラケットに液体中の異物を集積させるための集積空間入口を設けて、このブラケットの反対側に集積空間を設けているので、インペラから吐出された一部の液体が、軸受とシャフトの摺動面（すべり面）に循環流通される前に、異物が液体から除去されて集積空間に集積され、循環する液体に含まれる異物が少なくなるため、異物による軸受の損傷が低減でき、ポンプの寿命が著しく低下することが抑制でき、高信頼性が得られる。また、異物を除去するフィルタの取付けが不要となり、この結果、液体の流れを妨げるものがなくなって効率の低下が抑制できる。また、ＤＣモータポンプとマグネットカップリング式ポンプの場合、異物が磁性体であっても、予め集積空間に除去されて集積されるので、その下流のマグネットに付着することが少なくなり、磁気力の低下によるモータ効率の低下が抑制できるため、ポンプは高効率が得られる。さらに、マグネットへの磁性体異物の付着量が少なくなるので、異物がポンプ内壁と接触し、ポンプ室の破損による液体の漏れを抑制できるため、高信頼性が得られるなど、従来にない優れた効果を奏するものである。
【図面の簡単な説明】
【００２２】
【図１】本発明の直接駆動式の渦巻ポンプのキャンドポンプを示す図で、（ａ）は一部断面図で示す側面図で、（ｂ）はポンプ部の吸込口側から見た正面図である。
【図２】本発明のマグネット駆動の渦巻ポンプであるキャンドポンプを示す図で、（ａ）は一部断面図で示す側面図で、（ｂ）はポンプ部の吸込側より見た正面図である。
【図３】本発明の第１の実施形態におけるキャンドポンプを説明する模式図であり、キャンドポンプの一部断面図で示す側面図である。
【図４】本発明の第１の実施形態におけるキャンドポンプの異物を集積させるための集積空間を形成するブラケットの一実施形態を示す図であり、（ａ）はステータ側板側から見た正面図で、（ｂ）は正面図のＡ−Ｏ−Ｂを矢視Ａおよび矢視Ｂから見た断面を示す側面図である。
【図５】本発明の第２の実施形態におけるキャンドポンプを説明する模式図であり、キャンドポンプの一部断面図で示す側面図である。
【図６】本発明の第２の実施形態におけるキャンドポンプの異物を集積させるための集積空間を形成するブラケットの一実施形態を示す図であり、（ａ）はステータ側板側から見た正面図で、（ｂ）は正面図のＡ−Ｏ−Ｂを矢視Ａおよび矢視Ｂから見た断面を示す側面図である。
【図７】本発明の第３の実施形態におけるキャンドポンプを説明する模式図であり、キャンドポンプの一部断面図で示す側面図である。
【図８】本発明の第３の実施形態におけるキャンドポンプの異物を集積させるための集積空間を形成するブラケットの一実施形態を示す図であり、（ａ）はステータ側板側から見た正面図で、（ｂ）は正面図のＡ−Ｏ−Ｂを矢視Ａおよび矢視Ｂから見た断面を示す側面図である。
【図９】本発明の第４の実施形態におけるキャンドポンプを説明する模式図であり、キャンドポンプの一部断面図で示す側面図である。
【図１０】本発明の第４の実施形態におけるキャンドポンプの異物を集積させるための集積空間を形成するブラケットの一実施形態を示す図であり、（ａ）はステータ側板側から見た正面図で、（ｂ）は正面図のＡ−Ｏ−Ｂを矢視Ａおよび矢視Ｂから見た断面を示す側面図である。
【図１１】本発明の第５の実施形態におけるキャンドポンプを説明する模式図であり、キャンドポンプの一部断面図で示す側面図である。
【図１２】本発明の第５の実施形態におけるキャンドポンプの異物を集積させるための集積空間を形成するブラケットの一実施形態を示す図であり、（ａ）はステータ側板側から見た正面図で、（ｂ）は正面図のＡ−Ｏ−Ｂを矢視Ａおよび矢視Ｂから見た断面を示す側面図である。
【図１３】本発明の第６の実施形態におけるキャンドポンプを説明する模式図であり、キャンドポンプの一部断面図で示す側面図である。
【図１４】本発明の第６の実施形態におけるキャンドポンプの異物を集積させるための集積空間を形成するブラケットの一実施形態を示す図であり、（ａ）はステータ側板側から見た正面図で、（ｂ）は正面図のＡ−Ｏ−Ｂを矢視Ａおよび矢視Ｂから見た断面を示す側面図である。
【図１５】従来の直接駆動の渦巻ポンプであるキャンドポンプを示す図で、（ａ）は一部断面図で示す側面図で、（ｂ）はポンプ部の吸込側より見た正面図である。
【図１６】従来のマグネット駆動の渦巻ポンプであるキャンドポンプを示す図で、（ａ）は一部断面図で示す側面図で、（ｂ）はポンプ部の吸込側より見た正面図である。
【発明を実施するための形態】
【００２３】
本発明の実施の形態について図面を参照して説明するに先立って、先ず従来の形態について説明し、続いて本発明の実施の形態について説明する。
【００２４】
従来の実施の形態である直接駆動の渦巻ポンプであるキャンドポンプ１は、図１５に示すように、図に向って左側のモータ部２と右側のポンプ部３から形成されている。このポンプ部３のポンプ室４は、ケーシング５とブラケット７からなり、このポンプ室４の内部にインペラ８を収納している。モータ部２はインペラ８を駆動するモータを有し、ステータ１０とロータ１１を有している。ステータ１０はステータ側板９ａ、ステータ側板９ｂとポンプ内壁１５により密閉されている。ロータ１１には、ステータ１０と対向した場所にマグネット１４が取り付けられており、ロータ１１はシャフト１２に固定されている。このシャフト１２を支えるために軸受１３ａ、軸受１３ｂが設けられており、シャフト１２のポンプ側先端にインペラ８がネジ等により固定されている。シャフト１２の中心には貫通孔１２ａが設けている。ステータ１０によりロータ１１が駆動され、それに伴いインペラ８が駆動されることにより、送水が可能となる。その時、軸受１３ａ、軸受１３ｂの摩耗を低減させるために潤滑を行うが、インペラ８から吐出された液体の一部分が、ブラケット７の小孔７ａを通り、軸受１３ａとシャフト１２の摺動面（すべり面）に循環流通し、さらに、軸受１３ｂとシャフト１２の摺動面（すべり面）に循環流通する。また、軸受１３ｂを循環した液体がシャフト１２の中心の貫通孔１２ａを通り、インペラ８の入口低圧部に流れる流路を持った構造となっている。ポンプ部３のポンプ室４の内部には、異物を集積させるための集積空間はない。
【００２５】
また、従来のマグネット駆動の渦巻ポンプであるキャンドポンプ１についても、図１６に示すように、左側のモータ部２と右側のポンプ部３から形成されている。モータ部２は外側のマグネットハウジング２３に設けられた駆動マグネット１７と隔壁１５ａを介してその内側に従動マグネット１８を有している。ポンプ部３はボルト１９でモータ部２のケーシングフランジ２０ａにポンプ部３のケーシングフランジ２０ｂがボルト１９で接続されている。図１５のキャンドポンプ１がステータ１０にてロータ１１を直接駆動させる方式であるのに対し、図１６のキャンドポンプ１は駆動マグネット１７にて間接的に従動マグネット１８を駆動させることにより、ロータ１１を駆動させる構造となっている。なお、このモータ部２の駆動マグネット１７はマグネットハウジング２３に接着等により固定されており、さらに上記マグネットハウジング２３は、図面で左側の駆動モータのロータ２１の回転軸であるシャフト２２とネジ等により接続されている。このマグネット駆動の渦巻ポンプであるキャンドポンプ１の液体の循環構造に関しては、図１５と同様の構造となっており、ポンプ部３のポンプ室４のブラケット７には、異物を集積させるための集積空間はない。
【００２６】
ここから本発明の実施の形態について説明する。本発明のキャンドポンプ１のポンプ室４の内部の側壁であるブラケット７に液体中の異物を集積して除去させるための集積空間６を設けている形態については、図１に示す直接駆動式の渦巻ポンプであるキャンドポンプ１と、図２に示すマグネット駆動の渦巻ポンプであるキャンドポンプ１とがある。これらは、循環構造としては同様であるため、例として図１に示す直接駆動の渦巻ポンプであるキャンドポンプ１にて循環構造について説明する。キャンドポンプ１は、図１で左側のモータ部２と右側のポンプ部３から形成されている。ポンプ部３のポンプ室４は、ケーシング５と異物を集積させるための集積空間６を設けている側壁であるブラケット７からなり、このポンプ室４の内部にインペラ８を収納している。異物を集積させるための集積空間６は、ブラケット７とステータ側板９ａとケーシングパイプ５ａからなっている。モータ部２はインペラ８を駆動するモータで、ステータ１０とロータ１１を有している。ステータ１０は、左右のステータ側板９ａおよびステータ側板９ｂとポンプ内壁１５により密閉されている。ロータ１１には、ステータ１０と対向した場所にマグネット１４が取り付けられており、ロータ１１はシャフト１２に固定されている。このシャフト１２を支えるために軸受１３ａ、軸受１３ｂが設けられており、シャフト１２のポンプ側先端にインペラ８がネジ等により固定されている。シャフト１２の中心には貫通孔１２ａが設けられている。ステータ１０によりロータ１１が駆動され、それに伴いインペラ８が駆動されることにより、送水が可能となる。その時、軸受１３ａ、軸受１３ｂの摩耗を低減させるために潤滑を行うが、インペラ８から吐出された液体の一部が、ブラケット７の小孔７ａを通り、軸受１３ａとシャフト１２の摺動面（すべり面）に循環流通し、さらに軸受１３ｂとシャフト１２の摺動面（すべり面）に循環流通する。また、軸受１３ｂを循環した液体がシャフト中心の貫通孔１２ａを通り、インペラ８の入口低圧部に流れる流路を持った構造となっている。
【００２７】
図３に示す本発明の第１の実施形態のキャンドポンプ１は、図４に示すようなブラケット７を有している。ブラケット７は、軸受１３ａ、軸受１３ｂへの循環流通用の小孔７ａを有し、さらに、異物を集積させるための集積空間６を形成する集積溝７ｂと集積溝入口７ｃを有している。この集積溝７ｂはブラケット７と対向してステータ側板９と当接して集積空間６を形成している。図４に示すインペラ回転方向１６はポンプ室４内における液体の流れ方向を示している。異物が混入した液体を送水するとき、ポンプ室４の内部のインペラ８から吐出された液体の一部分が、ブラケット７の小孔７ａを通って循環する液体として使用される前に、集積空間入口６ａを通って集積空間６に異物が集積されるので、循環する液体から異物が減少する。したがって異物により軸受１３ａ、軸受１３ｂが損傷されることがなくなり、高信頼性が得られる利点を有する。また、循環する液体から異物を除去するフィルタが不要となり、フィルタによる効率低下がない。異物が磁性体であっても、ロータ１１のマグネット１４に付着することが少なくなる結果、磁気力の低下によるモータ効率の低下が少なくなり、さらにマグネット１４に付着した異物によるポンプ内壁１５との接触により、液体の漏れ等の原因がなくなってキャンドポンプ１の高信頼性が得られる利点を有する。
【００２８】
図５に示す本発明の第２の実施形態のキャンドポンプ１は、図６に示すようなブラケット７を有している。ブラケット７は、軸受１３ａ、軸受１３ｂへ液体を循環するための循環流通用の小孔７ａを有し、さらに、異物を集積させるための集積空間６を形成する集積溝７ｂと集積溝入口７ｃを有している。この集積溝入口７ｃは、インペラ８の外径より大きい径の位置に設けられている。インペラ回転方向１６はポンプ室４内における液体の流れ方向を示している。異物はインペラ８によって与えられた遠心力によって外周側へ流れやすくなっていることから、第２の実施形態のキャンドポンプ１では、集積空間入口６ａをインペラ８の外径より大きい径の位置に設けることにより、集積効率を向上している。液体の比重より大きい異物の場合においては、この構図はさらに有効となる。
【００２９】
図７に示す本発明の第３の実施形態のキャンドポンプ１は、図８に示すようなブラケット７を有している。ブラケット７は、軸受１３ａ、軸受１３ｂへ液体を循環するための循環流通用の小孔７ａを有し、さらに、異物を集積させるための集積空間６を形成する集積溝７ｂと集積溝入口７ｃをそれぞれ２つ有している。この集積溝入口７ｃは、インペラ８の外径より大きい径の位置に設けられている。インペラ回転方向１６はポンプ室４内における液体の流れ方向を示している。異物はインペラ８によって与えられた遠心力にて外周側へ流れやすくなっていることから、第２の実施形態のキャンドポンプ１と同様、集積空間入口６ａをインペラ８の外径より大きい径の位置に設けることにより、集積効率を向上している。さらに、インペラ８が回転することにより、ポンプ室４の内部へ送られる液体は、一箇所からではなくインペラ８の外径の全周から循環して送られるので、集積させるための集積空間６をブラケット７に２つ以上を設けることにより、集積効率を向上できる。この図８では集積空間６を形成する集積溝７ｂ及び集積溝入口７ｃをブラケット７にそれぞれ２つ設けている。
【００３０】
図９に示す本発明の第４の実施形態のキャンドポンプ１は、図１０に示すようなブラケット７を有している。ブラケット７は、軸受１３ａ、軸受１３ｂへ液体を循環するための循環流通用の小孔７ａを有し、さらに異物を集積させるための集積空間６を形成する集積溝７ｂと集積溝入口７ｃを円形であるブラケット７の中心対称的にそれぞれ２つ有している。この集積溝入口７ｃは、インペラ８の外径より大きい径の位置に設けられている。インペラ回転方向１６はポンプ室４内における液体の流れ方向を示している。異物はインペラ８によって与えられた遠心力にて外周側へ流れやすくなっており、さらに、ポンプ室４の内部に送られてくる液体は、インペラ８の外径の全周から送られてくるため、第３の実施形態のキャンドポンプ１と同様、第４の実施形態のキャンドポンプ１では集積空間入口６ａをインペラ８の外径より大きい径の位置に２つ設けることにより、集積効率を向上できる。さらにポンプ室４の内部の液体は回転しているため、集積空間６及び集積空間入口６ａをブラケット７に中心対称的に２つ設けることにより、各集積空間６における集積能力を均等化することができ、この均等化により集積効率を向上できる。また、集積空間６を中心対称的に設けたことにより、設置方向の影響を抑制することが可能となる。
【００３１】
図１１に示す本発明の第５の実施形態のキャンドポンプ１は、図１２に示すようなブラケット７を有している。ブラケット７は、軸受１３ａ、軸受１３ｂへ液体を循環するための循環流通用の小孔７ａを有し、さらに、異物を集積させるための集積空間６を形成する集積溝７ｂと集積溝入口７ｃを中心対称的に４つ有している。この集積溝入口７ｃは、インペラ８の外径より大きい径の位置に設けられており、円周方向の集積溝７ｂの中央部に設けられている。インペラ回転方向１６はポンプ室４内における液体の流れ方向を示している。異物はインペラ８によって与えられた遠心力にて外周側へ流れやすくなっており、さらにポンプ室４の内部に送られてくる液体は、インペラ８の外径の全周から送られてくるため、第４の実施形態のキャンドポンプ１と同様、集積空間入口６ａをインペラ８の外径より大きい径の位置に多数設けることにより、集積効率を向上できる。さらに、ポンプ室４の内部の液体は回転しているため、集積空間６及び集積空間入口６ａを対称的に４つ設けることにより、本発明の第４の実施形態のキャンドポンプ１以上に、各集積空間６における集積能力を均等化することができるため、集積効率を向上できる。また、集積空間６を対称的に設け、集積空間入口６ａを集積空間６を形成する集積溝７ｂの中央部に設けたことにより、インペラ回転方向１６がどちらになっていても、一定の集積させる効果があり、部品が共通化され、原価低減が可能となる。
【００３２】
図１３に示す本発明の第６の実施形態のキャンドポンプ１は、図１４に示すようなブラケット７を有している。ブラケット７は、図１３の軸受１３ａ、軸受１３ｂへ液体を循環するための循環流通用の小孔７ａを有し、さらに異物を集積させるための集積空間６を形成する集積溝７ｂと集積溝入口７ｃを図１４に示すように対称的に４つ有している。この集積溝入口７ｃは、インペラ８の外径より大きい径の位置に設けられており、インペラ８の回転方向１６に対して接線方向に設けられている。インペラ回転方向１６はポンプ室４内における液体の流れ方向を示している。異物はインペラ８によって与えられた遠心力にて外周側へ流れやすくなっており、さらに、ポンプ室４の内部に送られてくる液体は、インペラ８の外径の全周から送られてくるため、第４の実施形態のキャンドポンプ１と同様、集積空間入口６ａをインペラ８の外径より大きい径の位置に設け、しかも多数設けることにより、集積効率を向上している。さらに、ポンプ室４の内部の液体は回転しているため、集積空間６及び集積空間入口６ａを対称的に４つ設けることにより、本発明の第４の実施形態のキャンドポンプ１以上に、各集積空間６における集積能力を均等化することができるため、集積効率を向上できる。ポンプ室４の内部の液体は、インペラ回転方向１６に流れているので、その流れに対して接線方向に集積空間入口６ａを設けることにより、集積効率を向上できる。
【符号の説明】
【００３３】
１  キャンドポンプ
２  モータ部
３  ポンプ部
４  ポンプ室
５  ケーシング
５ａ  ケーシングパイプ
６  集積空間
６ａ  集積空間入口
７  ブラケット
７ａ  小孔
７ｂ  集積溝
７ｃ  集積溝入口
８  インペラ
９  ステータ側板
１０  ステータ
１１  ロータ
１２  シャフト
１２ａ  貫通孔
１３ａ  軸受
１３ｂ  軸受
１４  マグネット
１５  ポンプ内壁
１６  インペラ回転方向
１７  駆動マグネット
１８  従動マグネット
１９  ボルト
２０ａ  モータ部のケーシングフランジ
２０ｂ  ポンプ部のケーシングフランジ
２１  ロータ
２２  シャフト
２３  マグネットハウジング
【図１】
2011017294.tif 000003
【図２】
2011017294.tif 000004
【図３】
2011017294.tif 000005
【図４】
2011017294.tif 000006
【図５】
2011017294.tif 000007
【図６】
2011017294.tif 000008
【図７】
2011017294.tif 000009
【図８】
2011017294.tif 000010
【図９】
2011017294.tif 000011
【図１０】
2011017294.tif 000012
【図１１】
2011017294.tif 000013
【図１２】
2011017294.tif 000014
【図１３】
2011017294.tif 000015
【図１４】
2011017294.tif 000016
【図１５】
2011017294.tif 000017
【図１６】
2011017294.tif 000018